(57)【特許請求の範囲】
【請求項１】
内視鏡の処置具挿通チャンネルの入口の処置具挿入口金に形成された処置具通過管路の側壁部に切り欠き孔が形成されて、上記処置具通過管路内を通過する処置具の側面に当接させるブレーキ部材が上記処置具通過管路の軸線に対して垂直方向に可動に上記切り欠き孔内に配置され、上記ブレーキ部材を上記処置具の側面に当接する状態と上記処置具の側面から上記切り欠き孔内に退避した状態とに手動で移動させるための操作部材が設けられ、上記操作部材が、上記処置具通過管路の軸線に対して垂直な向きに上記ブレーキ部材に形成されたネジ孔に回転自在に螺合する雄ネジ部と、上記雄ネジ部から外方に突出して設けられた手動操作摘みとを含んでいて、上記雄ネジ部が、その雄ネジ部の軸線方向に移動しない状態に上記処置具挿入口金に回転自在に支持されていることを特徴とする内視鏡の処置具固定機構。
【請求項２】
上記処置具挿通チャンネル内を気密に封止して上記処置具挿入口金に挿入される処置具によって押し開かれる鉗子栓が上記処置具挿入口金の突端部分に取り付けられていて、上記鉗子栓が上記処置具挿入口金に取り付けられた状態で上記ブレーキ部材を上記処置具の側面に押し付け／退避させることができる請求項１記載の内視鏡の処置具固定機構。
【請求項３】
上記ブレーキ部材の少なくとも上記処置具通過管路に面する側の部分が弾力性のある部材で形成されている請求項１又は２記載の内視鏡の処置具固定機構。
【発明の詳細な説明】
【技術分野】
【０００１】
この発明は、内視鏡の処置具挿通チャンネルに通された処置具を必要に応じて固定するための内視鏡の処置具固定機構に関する。
【背景技術】
【０００２】
内視鏡に用いられる各種処置具は、内視鏡の処置具挿通チャンネルに通されて内視鏡の挿入部の先端から突没操作されるのが通常の使用方法であるが、処置の内容や術式等によっては、処置具の先端が内視鏡の挿入部の先端から所望の長さだけ突出した状態を固定しておきたい場合がある。
【０００３】
そこで従来は、処置具のシースを固定／解除自在な補助具を処置具の手元側部分に組み込んでおき、内視鏡の処置具挿通チャンネルの入口の処置具挿入口金にそのような補助具を係止させることにより、処置具挿通チャンネルに対して処置具が固定された状態にすることができるようになっていた（例えば、特許文献１）。
【特許文献１】特開平９−１０３４３３
【発明の開示】
【発明が解決しようとする課題】
【０００４】
しかし、上述のような従来の内視鏡の処置具固定機構では、補助具が予め組み込まれた処置具しか処置具挿通チャンネルに対して固定された状態にすることができず、固定される可能性のある処置具は全てに補助具を組み込む必要があるので、非常にコスト高になっていた。
【０００５】
また、従来の内視鏡の処置具固定機構を使用する際には、処置具挿入口金から鉗子栓を取り外す必要があるので、補助具を使用する度に鉗子栓を着脱しなければならず操作が煩雑であり、また処置具挿通チャンネルを通って体内汚液等が噴出する原因になっていた。
【０００６】
そこで本発明は、各処置具に何らの追加構成を設けることなく、低コストの構成で一般の処置具を処置具挿通チャンネルに対して容易に固定／解除することができ、しかも固定／解除いずれの場合であっても鉗子栓を着脱することなく装着したまま使用することができる内視鏡の処置具固定機構を提供することを目的とする。
【課題を解決するための手段】
【０００７】
上記の目的を達成するため、本発明の内視鏡の処置具固定機構は、内視鏡の処置具挿通チャンネルの入口の処置具挿入口金に形成された処置具通過管路の側壁部に切り欠き孔を形成して、処置具通過管路内を通過する処置具の側面に当接させるブレーキ部材を処置具通過管路の軸線に対して垂直方向に可動に切り欠き孔内に配置し、ブレーキ部材を処置具の側面に当接する状態と処置具の側面から切り欠き孔内に退避した状態とに手動で移動させるための操作部材を設けたものである。
【０００８】
なお、処置具挿通チャンネル内を気密に封止して処置具挿入口金に挿入される処置具によって押し開かれる鉗子栓が処置具挿入口金の突端部分に取り付けられていて、鉗子栓が処置具挿入口金に取り付けられた状態でブレーキ部材を処置具の側面に押し付け／退避させることができるようにしてもよい。
【０００９】
また、操作部材が、処置具通過管路の軸線に対して垂直な向きにブレーキ部材に形成されたネジ孔に回転自在に螺合する雄ネジ部と、雄ネジ部から外方に突出して設けられた手動操作摘みとを含んでいて、雄ネジ部が、軸線方向に移動しない状態に処置具挿入口金に回転自在に支持されていてもよい。
【００１０】
また、ブレーキ部材の少なくとも処置具通過管路に面する側の部分が弾力性のある部材で形成されていてもよい。
【発明の効果】
【００１１】
本発明によれば、処置具通過管路内を通過する処置具の側面に当接させるブレーキ部材と処置具の側面にそのブレーキ部材を当接させるための操作部材とを処置具挿通チャンネルの入口の処置具挿入口金に設けたので、各処置具に何らの追加構成を設けることなく、低コストの構成で一般の処置具を処置具挿通チャンネルに対して容易に固定／解除することができ、しかも固定／解除いずれの場合であっても鉗子栓を着脱することなく装着したまま使用することができる。
【発明を実施するための最良の形態】
【００１２】
内視鏡の処置具挿通チャンネルの入口の処置具挿入口金に形成された処置具通過管路の側壁部に切り欠き孔を形成して、処置具通過管路内を通過する処置具の側面に当接させるブレーキ部材を処置具通過管路の軸線に対して垂直方向に可動に切り欠き孔内に配置し、ブレーキ部材を処置具の側面に当接する状態と処置具の側面から切り欠き孔内に退避した状態とに手動で移動させるための操作部材を設ける。
【実施例】
【００１３】
図面を参照して本発明の実施例を説明する。
図２において、１は内視鏡の挿入部、２は操作部であり、挿入部１内に全長にわたって挿通配置された処置具挿通チャンネル３の入口部分には、処置具挿入口金４が斜め上方に向けて突出して設けられて、その先端に鉗子栓５が着脱自在に取り付けられている。６は後述する手動操作摘みである。
【００１４】
３０は、例えば生検鉗子、高周波切開具又は内視鏡用注射具等のような処置具であり、処置具挿通チャンネル３内に挿脱される可撓性シース３１の基端に操作部３２が連結されている。可撓性シース３１は、例えば密着巻きのコイルパイプ又は可撓性チューブ等により形成されている。
【００１５】
図３は処置具挿入口金４部分を示しており、処置具挿入口金４は押さえナット７によって操作部２に押圧固定されており、押さえナット７は図示されていない専用工具等を用いて緩めなければ操作部２から取り外すことができない。
【００１６】
処置具挿入口金４は、操作部２から例えば１〜３ｃｍ程度突出する細長い筒状に形成されている。そして、処置具挿入口金４の突端部分４ａはいわゆるルアーロック雄口金状に形成されて、そこに弾力性のあるゴム材からなる鉗子栓５が着脱自在に取り付けられている。鉗子栓５は、処置具３０が通されていない状態では閉鎖膜に形成されたスリット５ａが閉じた状態になっていて、処置具挿通チャンネル３内を気密に封止している。
【００１７】
処置具挿入口金４には、処置具３０の可撓性シース３１が緩く通過できる径の処置具通過管路４ｂが軸線方向に貫通して形成されており、処置具挿入口金４の側壁の中間部分には処置具通過管路４ｂに面する切り欠き孔８が形成されている。
【００１８】
そして、処置具通過管路４ｂ内を通過する処置具３０の可撓性シース３１の側面に当接させるためのブレーキ部材１０が、処置具通過管路４ｂの軸線に対して垂直方向に可動に切り欠き孔８内に配置されている。ブレーキ部材１０は、処置具３０の可撓性シース３１に当接する部分がゴム材等からなる弾力部１０ａになっている。ただし、弾力部１０ａは必ずしも設けなくてもよく、ブレーキ部材１０全体をある程度弾力性を有する部材で形成しても差し支えない。
【００１９】
１１は、ブレーキ部材１０が切り欠き孔８内から外方に脱落しないようにブレーキ部材１０を外側から支える保持筒であり、手動操作摘み６と一体的に連結された雄ネジ部１２が、処置具通過管路４ｂの軸線に対して垂直な向きにブレーキ部材１０に形成されたネジ孔と保持筒１１内で螺合している。
【００２０】
雄ネジ部１２は、その外端部分に形成された角軸部１２ａにおいて手動操作摘み６と一体に回転するように連結されて、その状態が抜け止めビス１３により維持されており、手動操作摘み６と雄ネジ部１２は、その軸線周りには一体となって回転自在であるが軸線方向には移動できないようになっている。。
【００２１】
そのような構成により、手動操作摘み６を回転操作すると、それと一体に雄ネジ部１２が軸線周りに回転することにより、雄ネジ部１２と螺合するネジ孔が形成されているブレーキ部材１０が、図３に二点鎖線で示されるように切り欠き孔８内から処置具通過管路４ｂ内の方向に進退し、或いは処置具通過管路４ｂ内から切り欠き孔８側に退避するように動作する。
【００２２】
図４は、処置具挿入口金４内から処置具挿通チャンネル３内に処置具３０の可撓性シース３１が通された状態を示しており。鉗子栓５のスリット５ａが可撓性シース３１に押されて弾性変形し、可撓性シース３１の外周面に密着した状態に開き、処置具挿通チャンネル３内の汚液等が噴出しない状態で可撓性シース３１を軸線方向に自由に進退させることができる。
【００２３】
そして、処置具３０の可撓性シース３１を進退しないように固定する必要が生じたときは、図１に示されるように、手動操作摘み６を手で回転操作してブレーキ部材１０を切り欠き孔８内から処置具通過管路４ｂ内に押し込むことにより、可撓性シース３１の側面にブレーキ部材１０の弾力部１０ａを押し付けて可撓性シース３１を処置具通過管路４ｂに固定することができる。
【００２４】
その状態では、ブレーキ部材１０が、雄ネジ部１２を螺動させなければ処置具通過管路４ｂ側から戻らないので固定状態が維持される。そして、手動操作摘み６を逆方向に回転操作すれば、図４に示されるように、ブレーキ部材１０が処置具通過管路４ｂ内から切り欠き孔８側に退避して、処置具通過管路４ｂに対する可撓性シース３１の固定が解除される。
【００２５】
このように、本実施例においては、処置具通過管路４ｂ内を通過する処置具３０の可撓性シース３１の側面に当接する状態と退避した状態とにブレーキ部材１０を手動で移動させるための操作部材が、手動操作摘み６と雄ネジ部１２により構成されており、その操作に際して鉗子栓５を着脱する必要が全くない。
【００２６】
そして、各処置具３０に何らの追加構成を設けることなく、低コストの構成で一般の処置具３０を処置具挿通チャンネル３に対して容易に固定／解除することができる。
【図面の簡単な説明】
【００２７】
【図１】本発明の実施例の内視鏡の処置具固定機構の処置具固定状態の側面断面図である。
【図２】本発明の実施例の内視鏡の側面図である。
【図３】本発明の実施例の内視鏡の処置具固定機構の側面断面図である。
【図４】本発明の実施例の内視鏡の処置具固定機構の処置具固定解除状態の側面断面図である。
【符号の説明】
【００２８】
３  処置具挿通チャンネル
４  処置具挿入口金
４ｂ  処置具通過管路
５  鉗子栓
６  手動操作摘み（操作部材）
８  切り欠き孔
１０  ブレーキ部材
１０ａ  弾力部
１２  雄ネジ部（操作部材）
３０  処置具
３１  可撓性シース
【図１】
0004731256.tif 000002
【図２】
0004731256.tif 000003
【図３】
0004731256.tif 000004
【図４】
0004731256.tif 000005